(57)【要約】【課題】観音開き状に開閉する左右一対のドア体の一方に、他方のドア体の閉鎖で施錠する自動施錠装置を設けたドア装置において、施錠が確実になるように構成する。【解決手段】第一ドア体１を、第二ドア体２に先行して閉鎖姿勢となるよう構成するとともに、後行して閉鎖姿勢となる第二ドア体２の閉鎖姿勢で、第一ドア体１の戸先側に上下方向移動自在に設けたロック体８ａが下方に突出し、床部に設けたロック体受け孔７ｃに係止するよう構成するにあたり、第一ドア体１の下端部に第一磁着体１０を内装する一方、床部に第二磁着体１６を設けて、これら第一、第二磁着体１０、１６同士が第一ドア体１の閉鎖姿勢への変姿に伴い互いに磁着して第一ドア体１を閉鎖姿勢に保持するように構成する。【選択図】図４
2008223405.tif 000002
【特許請求の範囲】
【請求項１】
躯体開口部を観音開き状に開閉揺動する左右一対の第一、第二ドア体を設けてなるドア装置において、第一ドア体を、第二ドア体に先行して閉鎖姿勢となるよう構成するとともに、後行して閉鎖姿勢となる第二ドア体の閉鎖姿勢で、第一ドア体の戸先側に上下方向移動自在に設けた施錠体が下方に突出し、床部に設けた錠受け具に係止するよう構成するにあたり、第一ドア体の下端部に第一磁着体を内装する一方、床部に第二磁着体を設けて、これら第一、第二磁着体同士が第一ドア体の閉鎖姿勢への変姿に伴い互いに磁着して第一ドア体を閉鎖姿勢に保持するように構成したドア装置。
【請求項２】
第一、第二磁着体の何れか一方の磁着体には、第一ドア体の閉鎖姿勢への変姿に伴い他方の磁着体側に近接するよう変位して、互いの磁着力を強化する磁着補助手段が設けられている請求項１に記載のドア装置。
【請求項３】
磁着補助手段は、第一磁着体に設けられるものとし、第一ドア体のドア厚内に内装され、第一ドア体の開閉作動に伴い第一磁着体を上下変位させるように構成されている請求項１または２に記載のドア装置。
【請求項４】
磁着補助手段は、戸尻側端部がドア体の戸尻側端面から出没する作動ロッドと、作動ロッドの戸先側端部とドア体の戸先側に設けた固定片との間に介装され、上下方向変位自在な変位部を備えた板バネとにより構成されるものとし、第一磁着体は板バネの変位部に支持され、第一ドア体の閉鎖に伴い、戸尻側端面から突出するロッド体が躯体開口部の側片に押圧されてドア体内に没入して、板バネの変位部が下方変位することに伴い第一磁着体が第二磁着体に近接するように構成されている請求項３に記載のドア装置。
【発明の詳細な説明】
【技術分野】
【０００１】
本発明は、工場やオフィスビル等の建築物の開口部に設けられるドア装置の技術分野に属するものである。
【背景技術】
【０００２】
一般に、ドア装置は躯体開口部に固定されるドア枠に嵌め込まれているが、ドア枠には戸当たりが形成されたものがあり、この場合では、ドア体の閉鎖時においてドア体が戸当たりに当接することで、ドア体が戸当たりを越えて閉鎖方向に揺動することがなく、所定の閉鎖姿勢を保持できるようにしている。このようなドア枠において、ドア枠を左右一対の縦枠と上下一対の横枠とでドア体の四周を囲繞するように構成した場合に、下側の横枠であって床部を構成する沓摺には、人の出入りを考慮して戸当たりが形成されないことがある。このように、沓摺に戸当たりが形成されないドア枠に対し、観音開き状に開閉する左右一対の第一、第二ドア体を設ける構成とした場合、各ドア体の互いに対向する戸先側部位と下端部位とは戸当たりによる移動規制を受けることがなく、ドア体を勢いよく閉鎖したり風圧を受けることにより、各ドア体の戸先側下方部位がガタついて位置ズレし、所定の閉鎖姿勢にならないという問題がある。
ところで、左右一対の第一、第二ドア体を備えたドア装置において、前記第一ドア体を、第二ドア体に後行して開放する一方、先行して閉鎖姿勢となるよう構成するとともに、第一ドア体の戸先側に自動施錠装置を設けて、第二ドア体が閉鎖−開放作動することに伴い、自動施錠装置のロック体が第一ドア体の上下端面から出没作動して、上枠、沓摺に設けたロック体受け孔に係脱自在に嵌入し、これによって、第一ドア体の自動的な施錠−解錠がなされ、ドア装置の閉鎖時では第一ドア体の戸先に設けた召し合わせ片が戸当たりとして機能して、第二ドア体の揺動規制をするようにしたものが提唱されている。このようなものにおいて、沓摺を前述したように戸当たりが形成されないものとした場合では、第一ドア体の下方部位が位置ズレすることがあり、このようになると、戸先側のロック体と沓摺側のロック体受け孔とが位置ズレして、第一ドア体を自動施錠（係止）できなくなることがあって問題がある。
【０００３】
この改善策としては、第一ドア体の戸先側下端部に対向して戸当たりに相当する位置規制手段を設けることが提唱され、その一例として、ドア体が閉鎖姿勢になることに伴い、床面から規制片を上動させてドア体に係止させるように構成したものが提唱される。
【特許文献１】特開２００１−３６２７号公報
【発明の開示】
【発明が解決しようとする課題】
【０００４】
しかるに、前記従来の位置規制手段を前記自動左右一対の第一、第二ドア体を備えたドア装置に採用する場合、床部に設けた規制片を磁石の吸引力で床面から上動させる構成であるため、第一ドア体の戸先に磁石を設けた被係止部材が設けられており、該被係止部材は、第一ドア体が閉鎖姿勢となる直前で規制片を上動させるように構成するため、第一ドア体の閉鎖方向の面板に対し、該面板から閉鎖方向に突出状に設けられている。このため、被係止部材が邪魔であるばかりでなく意匠性に劣り、さらには、第一ドア体を開閉作動させる場合に、被係止部材が第一ドア体と一体になって開閉作動するため、第一ドア体の開放状態によっては通行者が被係止部材に躓いたり引っ掛かったりして、通行の妨げになるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、躯体開口部を観音開き状に開閉揺動する左右一対の第一、第二ドア体を設けてなるドア装置において、第一ドア体を、第二ドア体に先行して閉鎖姿勢となるよう構成するとともに、後行して閉鎖姿勢となる第二ドア体の閉鎖姿勢で、第一ドア体の戸先側に上下方向移動自在に設けた施錠体が下方に突出し、床部に設けた錠受け具に係止するよう構成するにあたり、第一ドア体の下端部に第一磁着体を内装する一方、床部に第二磁着体を設けて、これら第一、第二磁着体同士が第一ドア体の閉鎖姿勢への変姿に伴い互いに磁着して第一ドア体を閉鎖姿勢に保持するように構成したドア装置である。
請求項２の発明は、第一、第二磁着体の何れか一方の磁着体には、第一ドア体の閉鎖姿勢への変姿に伴い他方の磁着体側に近接するよう変位して、互いの磁着力を強化する磁着補助手段が設けられている請求項１に記載のドア装置である。
請求項３の発明は、磁着補助手段は、第一磁着体に設けられるものとし、第一ドア体のドア厚内に内装され、第一ドア体の開閉作動に伴い第一磁着体を上下変位させるように構成されている請求項１または２に記載のドア装置である。
請求項４の発明は、磁着補助手段は、戸尻側端部がドア体の戸尻側端面から出没する作動ロッドと、作動ロッドの戸先側端部とドア体の戸先側に設けた固定片との間に介装され、上下方向変位自在な変位部を備えた板バネとにより構成されるものとし、第一磁着体は板バネの変位部に支持され、第一ドア体の閉鎖に伴い、戸尻側端面から突出するロッド体が躯体開口部の側片に押圧されてドア体内に没入して、板バネの変位部が下方変位することに伴い第一磁着体が第二磁着体に近接するように構成されている請求項３に記載のドア装置である。
【発明の効果】
【０００６】
請求項１の発明とすることにより、第一ドア体を位置ズレがない状態で閉鎖姿勢とすることができ、自動施錠装置の施錠が確実になる構成でありながら、第一ドア体の意匠性を低下させることがなく、しかも、開口部に突出して邪魔になり通行の妨げになるようなことがないようにできる。
請求項２の発明とすることにより、第一、第二磁着体同士の磁着が確実になって、第一ドア体の閉鎖姿勢を一層安定させることができる。
請求項３の発明とすることにより、第一ドア体の意匠を変えることがなく、しかも、開口部の通行の邪魔になることなく第一ドア体の戸先側下方部位の閉鎖姿勢での位置ズレを防止できる。
請求項４の発明とすることにより、第一ドア体の開閉作動を損なうことなく、閉鎖姿勢での第一ドア体の位置ズレを防止することができる。
【発明を実施するための最良の形態】
【０００７】
つぎに、本発明の実施の形態について、図面に基づいて説明する。
図面において、１、２は、躯体に開設された開口部に設けられるドア装置を構成する左右一対の第一、第二ドア体であって、図１において左側に位置する第一ドア体１は子扉として機能し、右側に位置する第二ドア体２は親扉として機能するように設定され、後述するように、親扉である第二ドア体２の開閉作動に伴い子扉である第一ドア体１の自動的な施錠−解錠がなされるとともに、第二ドア体２に設けた施錠具３による施錠によりドア装置の施錠がなされ、一方、第二ドア体２の施錠具３を操作して第二ドア体２の把手９を把持して開放作動することで第二ドア体２の開放も可能になるように設定されている。
【０００８】
一方、４は開口部の四周に固定されるドア枠であって、該ドア枠４は、開口部の左右側部に固定される左右一対の縦枠体５と、開口部の上部に固定される上枠体６、さらには、開口部の下部である床部に固定される沓摺７とにより構成されている。そして、前記第一ドア体１は、左側縁部を左縦枠体５に揺動支軸１ａを介して揺動自在に連結され、第二ドア体２は、右側縁部を右縦枠体５に揺動支軸２ａを介して揺動自在に連結されおり、これによって、第一、第二ドア体１、２は戸先側端部同士が互いに隣接する状態となり開口部を閉鎖する閉鎖姿勢と、戸先側端部が前方（図１の図面手前側）に揺動する開放姿勢との間を観音開き状に開閉揺動するように構成されている。
【０００９】
前記左右の縦枠体５および上枠体６は、前方（各ドア体１、２の開放方向側）に位置して枠片５ａ、６ａが形成されており、第一、第二ドア体１、２が閉鎖姿勢になることに伴い戸尻側端面１ｂ、２ｂ、上側端面１ｃ、２ｃがそれぞれ近接対向するように設定されている。さらに、枠片５ａ、６ａの後方（各ドア体１、２の閉鎖方向側）には、開口部内側に折曲し、各ドア体１、２の閉鎖側面部１ｄ、２ｄにおける戸尻側部位および上側部位が近接対向する戸当たり片５ｂ、６ｂが形成されており、ここに、各ドア体１、２の閉鎖側面部１ｄ、２ｄに当接する緩衝材５ｃ、６ｃがそれぞれ設けられている。また、床部に固定される沓摺７は、床部を構成する床面Ｆよりも僅かに（略板厚分だけ）上位に位置する上片７ａと、該上片７ａの前後両縁部から下方に延出して床部に埋設される一対の脚片７ｂとにより断面略Ｃ字形に形成されている。
【００１０】
そして、前記第一、第二ドア体１、２のうち、第一ドア体１の戸先側には上下に位置して自動施錠装置８がそれぞれ設けられている。尚、自動施錠装置８は汎用のものが用いられており、ここでは、第一ドア体１の下方に設けられる自動施錠具８について簡単に説明し、上方に設けられる自動施錠装置８についての説明は省略する。
前記下方に設けられる自動施錠装置８は、第一ドア体１の下端部のドア厚内に一体的に設けられた下片部１ｅに上下方向移動自在に支持されるロック体（本発明の施錠体に相当する）８ａを備えて構成されており、該ロック体８ａは、第一ドア体１の下端縁よりも下方に突出する施錠姿勢と下端縁よりも上位に位置する解錠姿勢とに変位するように設定されている。前記ロック体８ａは、自動施錠装置８の作動片８ｂに連繋されており、該作動片８ｂは、第一ドア体１の戸先側端面１ｆから出没自在で、かつ、突出方向に付勢された状態となっている。そして、作動片８ｂが付勢力に抗して強制的に没入せしめられている状態ではロック体８ａが施錠姿勢に変姿し、作動片８ｂが付勢力を受けて戸先側端面１ｆから突出する状態に復帰することによりロック体８ａを解錠姿勢に変姿させるように連繋されている。
一方、開口部床部側を構成する沓摺上片７ａには、第一ドア体１の閉鎖姿勢において下端面から下方に突出するロック体８ａが嵌入して係止されるロック体受け孔７ｃが開設され、該ロック体受け孔７ｃの下方には凹溝状のロック体受け凹溝７ｄが床部に設けられており、これらロック体受け孔７ｃおよびロック体受け凹溝７ｄが本発明の錠受け具に相当している。
【００１１】
また、第一、第二ドア体１、２との間には図示しない連動手段が設けられており、開放作動においては第一ドア体１に先行して第二ドア体２が開放し、閉鎖作動において第一ドア体１が第二ドア体２に先行して閉鎖姿勢となるように構成されている。
そして、第一ドア体１が第二ドア体２に先行して閉鎖姿勢となり、続いて第二ドア体２が閉鎖姿勢となると、第一ドア体１の戸先側端面１ｆから突出する作動体８ｂが第二ドア体２の戸先側端面２ｅに設けられた操作片２ｆより強制的に押圧されて没入し、自動施錠装置８のロック体８ａを下方に向けて突出し、ロック体８ａがロック体受け孔７ｃを貫通してロック体受け凹溝７ｄに嵌入する施錠姿勢となるように設定されており、これによって、自動施錠装置８による第一ドア体１の施錠がなされるように設定されている。このとき、第二ドア体２は、閉鎖側面部２ｄが、自動施錠装置８により施錠された第一ドア体１の閉鎖側面部１ｄに形成される召し合わせ片１ｇに対向することになり、召し合わせ片１ｇが戸当たりとして機能して、第二ドア体２の閉鎖方向への揺動規制をするように構成されている。尚、２ｇは、第二ドア体の開放側面部から第一ドア体１側に延出する召し合わせ片である。
【００１２】
前記ドア装置の閉鎖姿勢において、第二ドア体２の施錠具３を施錠することにより、第一、第二ドア体１、２がともにロック状態となって開放しないように構成されている。
一方、前記閉鎖姿勢から開放作動する場合では、施錠具３を解錠し、第一ドア体１に設けた把手９を把持して開放することにより、第一ドア体１が第二ドア体２に先行して開放作動されるように設定されている。そしてこのとき、第二ドア体２の操作片２ｆによる自動施錠装置作動体８ｂの押圧が解除され、作動体８ｂが第一ドア体１の戸先側端面１ｆから突出し、ロック体８ａをロック体受け凹溝７ｄおよびロック体受け孔７ｃから退避する解錠姿勢に変姿せしめ、これによって、第一ドア体１の解錠がなされるように設定されており、このように、第一ドア体１は第二ドア体２の開閉作動に連動して自動的な施錠−解錠がなされるように設定されている。
【００１３】
そしてこのものでは、第一ドア体１のドア厚内に配設される下片部１ｅの戸先側であって、自動施錠装置ロック体８ａの配設部よりも戸尻側に位置して、第一ドア体１を閉鎖姿勢に保持するための第一磁着体１０が固定されている。前記第一磁着体１０は、本実施の形態では磁石（マグネット）により構成されており、第一ドア体１に設けた磁着補助手段１１を介して第一磁着体１０を設けることにより、第一ドア体１が開閉作動することに伴い、第一磁着体１０の第一ドア体１に対する固定位置が上下方向に変位するように構成されている。
【００１４】
つまり、第一ドア体１下端部であって、自動施錠装置８の戸尻側部位に磁着補助手段１１が設けられている。前記磁着補助手段１１は、第一ドア体１のドア厚内において、戸尻側端面１ｂから自動施錠装置８とのあいだの略全長にわたって内装されるケース体１２を備えて構成されており、該ケース体１２は、下端が開口するボックス形状に形成されている。前記ケース体１２の上方には、左右方向（ドア幅方向）に長いが、ケース体１２の全長よりは短い長さに設定された作動ロッド１３が左右方向変位自在に支持されている。そして、作動ロッド１３の戸尻側部位には、作動ロッド１３の延出長さを調整する調整用螺子１３ａが設けられ、作動ロッド１３の戸先側端部には第一板バネ支持片１３ｂが一体的に設けられている。一方、前記第一板バネ支持片１３ｂとは所定間隙を存した部位であって、ケース体１２の戸先側の上面には第二板バネ支持片（本発明の固定片に相当する）１２ａが固定されており、これら第一、第二板バネ支持片１３ｂ、１２ａとの間に長尺状の板バネ１４の両端部が固定されている。前記板バネ１４は、中間部を下方に向けて折曲して変位部１４ａが形成されており、板バネ１４の端部同士、即ち、第一、第二板バネ支持片１３ｂ、１２ａ同士を近接させて変位部１４ａを下方変位させることにより、第一、第二板バネ支持片１３ｂ、１２ａ同士を互いに離間させて変位部１４ａを上方変位させる方向の付勢力を発生するように設定されている。
尚、１２ｂは、ケース体１２に一体的に形成され、板バネ体１４の変位部１４ａが上動するのを規制するための突起である。
【００１５】
そして、作動ロッド１３は、戸尻側に何ら負荷が作用しない自然状態において、戸尻側端部が板バネ１４の付勢力を受けて第一ドア体１の戸尻側端面１ｂから外方に突出する非作用姿勢となるように設定されている。尚、非作用姿勢における作動ロッド１３の突出量は、閉鎖姿勢の第一ドア体１の戸尻側端面１ｂと左縦枠体５の枠片５ａとの対向間隔よりも大きくなるように設定されている。そして、作動ロッド１３は、前記非作用姿勢と、板バネ１４の付勢力に抗して戸尻側端面１ｂから突出する部位を第一ドア体１内に没入させる作用姿勢との間を変姿することにより、板バネ１４の変位部１４ａが上下方向に変位するように構成されている。
【００１６】
さらに、前記板バネ１４の変位部１４ａには、下方に突出する連結体１４ｂが一体形成されており、該連結体１４ｂは変位部１４ａの上下方向の変位に対して一体変位するように構成されている。一方、ケース体１２の戸先側部位の下方には、ケース体１２に対して上下方向の変位は許容されるが左右方向の変位は規制される状態で磁着体支持片（本発明の支持体に相当する）１５が配設されているが、該磁着体支持片１５の上部には、嵌合凹部１５ａが開設されており、該嵌合凹部１５ａに、板バネ連結体１４ｂが組み込まれている。前記嵌合凹部１５ａは、左右方向の溝長さが連結体１４ｂの左右長さよりも長く形成されるとともに、開口部には連結体１４ｂの上方への抜け止めをするための抜け止め片１５ｂが形成されており、板バネ連結体１４ｂは、嵌合凹部１５ａに左右方向の変位は許容されるが、上下方向への変位は規制されて、板バネ連結体１４ｂと磁着体支持片１５とが一体変位するように組み込まれている。これによって、作動ロッド１３が非作用姿勢と作用姿勢との間を変姿することに伴い、板バネ連結体１４ｂが左右方向、および上下方向に変位した場合に、板バネ連結体１４ｂが嵌合凹部１５ａを左右方向に変位しながら磁着体支持片１５を上下方向に変位させるように構成されている。
【００１７】
そして、前記磁着補助手段１１の磁着体支持体１５の下面に、前記第一磁着体１０が一体的に固定されている。そして、作動ロッド１３が第一ドア体１の戸尻側端面１ｂから突出する非作用姿勢にあって、磁着体支持片１５が連結体１４ｂとともに上方に位置する状態では、第一磁着体１０は、下面が第一ドア体１の下端縁よりも上位に位置する非補助姿勢となるように設定されている。これに対し、後述するように、第一ドア体１が閉鎖姿勢となって、作動ロッド１３が左縦枠体５の枠片５ａに当接して、板バネ１４の付勢力に抗して強制的に没入する作用姿勢となると、磁着体支持片１５が連結体１４ｂとともに下方変位した状態となって、第一磁着体１０は、下面が沓摺７の上片７ａに当接する補助姿勢となるように設定されている。
ここで、板バネ連結体１４ｂにおける上下方向の変位ストロークは小さく、従って、連結体１４ｂの左右方向の変位ストロークも小さいため、連結体１４ｂに直接第一磁着体１０を固定する構成としてもよいが、この場合に、予め左右変位量を考慮した状態で板バネ１４を配設すれば、第一、第二磁着体１０、１６とを位置ずれなく磁着させることができる。
【００１８】
一方、床部を構成する沓摺７の上片７ａには、閉鎖姿勢の第一ドア体１の第一磁着体１０に対向する部位に位置して第二磁着体１６が設けられるが、本実施の形態では、第二磁着体１６は、上片７ａの下面に固定されることにより床部に埋設状に配設されている。これによって、第二磁着体１６は、外部に露出することがなく、埃やゴミからの保護が図れるように構成されている。これによって、閉鎖姿勢の第一ドア体１と沓摺７との対向間に第一、第二磁着体１０、１６がそれぞれ設けられている。ここで、第一、第二磁着体１０、１６は、少なくとも一方を磁石とし、他方は鉄等の磁性材とすることができ、両者が互いに磁力により吸引しあうものであればよい。因みに、本実施の形態では、両者共に磁石で構成されている。
【００１９】
このように構成したものにおいて、第一、第二ドア体１、２が開放状態にあるとき、第一ドア体１は、左側の縦枠体５の枠片５ａとの間に間隙が形成されていて、作動ロッド１３は戸尻側端面１ｂから突出する非作用姿勢となり、第一磁着体１０は非補助姿勢となって、第一ドア体１の下端縁よりも上方に位置して配設されている。そして、第一ドア体１が第二ドア体２に先行して閉鎖作動し、戸尻側端面１ｂが縦枠体枠片（本発明の躯体開口部の側片に相当する）５ａに近接対向して作動ロッド１３が強制的に作用姿勢に変姿すると、第一磁着体１０は、第一ドア体１の下端縁よりも下方に突出して沓摺７に当接する補助姿勢となるように設定されている。これによって、互いの磁着力（第一、第二磁着体１０、１６同士の吸引力）が高められて、第一磁着体１０が沓摺７側の第二磁着体１６に当接する状態し、第一ドア体１を閉鎖姿勢に保持し、閉鎖姿勢の第一ドア体１の戸先側下端部に位置ズレが生じるのを防止するように設定されている。
【００２０】
そして、このように閉鎖姿勢に保持された状態の第一ドア体１に対して第二ドア体２を閉鎖姿勢とすることにより、自動施錠装置８のロック体８ａが施錠姿勢となって、第一ドア体１を施錠状態とするが、この場合に、第一ドア体１は第一、第二磁着体１０、１６の当接で、所定の閉鎖姿勢に保持されて、ロック体８ａが配される戸先側下端部に位置ズレを生じるようなことがなくなって、ロック体８ａのロック受け孔７ｃへの貫通が確実となるように構成されている。
また、前記ドア装置の閉鎖姿勢から第二ドア体２を開放させることにより、第一ドア体１が解錠状態となり、この状態から第一ドア体１を開放させる場合では、第一、第二磁着体１０、１６同士の磁着力に抗した開放操作をすることで実施することができ、該開放作動させた場合では、作動ロッド１３は、枠片５ａから離間することにより、板バネ１４の付勢力を受けて作用姿勢から非作用姿勢に復帰して、板バネ変位部１４ａを上動し、これによって、第一磁着体１０が磁着体支持片１５とともに一体上動して非補助姿勢になるように設定されている。
【００２１】
ここで、本実施の形態の第一、第二ドア体１、２は、それぞれ揺動支軸１ａ、２ａを介して開閉揺動する構成であるが、これら揺動支軸１ａ、２ａは、第一、第二ドア体１、２の開放側において縦枠体５と連結されている。これによって、第一、第二ドア体１、２の戸尻側端面１ｂ、２ｂは、閉鎖姿勢となる少し前の段階で縦枠体枠片５ａに対して略平行となる位置関係となり、その後、互いに近接して閉鎖姿勢となるように構成されている。このため、作動ロッド１３の非作用姿勢から作用姿勢に変姿するタイミングを、第一ドア体１が閉鎖姿勢になる直前とすることができて、第一、第二磁着体１０、１６が位置ズレした状態で磁着してしまうようなことを防止できるように設定されている。
【００２２】
叙述の如く構成された本形態において、第一、第二ドア体１、２を閉鎖姿勢とする場合に、先行して閉鎖姿勢となる第一ドア体１は、閉鎖姿勢となることに伴い第一磁着体１０が沓摺７（床部側）の第二磁着体１６に吸引されて磁着することにより、第一ドア体１の戸先側下方部位（下端部）の位置ズレを規制することができる。これによって、第二ドア体２の閉鎖により第一ドア体１の自動施錠装置８による施錠が確実になされて、従来のように、自動施錠装置８による施錠がなされなくなるような不具合を回避できる。しかも、このものでは、第一ドア体１に第一磁着体１０を設ける構成であるが、該第一磁着体１０は、第一ドア体１の下端部に内装されていて、外部に露出、突出することがなく、意匠を低下させることがないうえ、開口部に突出して邪魔になり通行の妨げになるようなことがない。
このように、本発明が実施されたものにあっては、第一ドア体１が閉鎖姿勢になったときに、戸先側下方部位に位置ズレを生じることなく安定した姿勢に保持することができて、自動施錠装置８の施錠が確実になされるようにできる。この結果、第二ドア体２の閉鎖姿勢に位置ズレが生じることもなくなって、施錠具３による施錠が確実になって、ドア装置の施錠不良を生じることがないようにできる。
【００２３】
さらに、このものでは、第一磁着体１０を、磁着補助手段１１を介して第一ドア体１に設ける構成としたので、第一磁着体１０と第二磁着体１６との磁着が確実になって、第一ドア体１の閉鎖姿勢を一層安定した状態で保持することができる。
【００２４】
また、このものでは、磁着補助手段１１を構成するケース体１２、作動ロッド１３、板バネ１４、磁着体支持片１５が、全て第一ドア体１のドア厚内に収容されるので、磁着補助手段１１が第一ドア体１の外部に露出することがなく、第一ドア体１の意匠を低下させることがなく、しかも、開口部の通行の邪魔になるようなことなく、閉鎖姿勢における第一ドア体１の戸先側下方部位の位置ズレを確実に防止することができる。
【００２５】
そのうえ、このものでは、磁着補助手段１１を、第一ドア体１の戸尻側端面から突出する作動ロッド１３を用いて構成し、第一ドア体１の閉鎖に伴い、作動ロッド１３が縦枠体枠片５ａにより押しやられることに連動して第一磁着体１０が下方変位する構成として、第一ドア体１が閉鎖姿勢になることに伴い、第二磁着体１６側に最も変位して磁着力が最大となるので、第一、第二磁着体１０、１６の磁着力を必要以上に大きく設定する必要がなく、第一、第二磁着体１０、１６の磁着力が大きく、これらが閉鎖姿勢で強く吸引しあって第一ドア体１の開放作動がしにくくなるような不具合を防止できる。
【００２６】
尚、本発明は前記実施の形態に限定されないことは勿論であって、図６（Ａ）、（Ｂ）、（Ｃ）に示す第二、第三、第四の実施の形態のように構成することもできる。
図６（Ａ）に示す第二の実施の形態は、前記第一の実施の形態と同様の基本構成を備えた磁着補助手段１７が設けられており、第一磁着体１８としてＮ、Ｓ極が第一ドア体１の開閉方向に隣接状に配されたものが用いられ、第二磁着体１９としてＳ、Ｎ極が第一ドア体１の開閉方向に隣接状に配されたものが用いられている。これによって、第一、第二磁着体１８、１９同士は開閉方向の位置ずれがない状態で磁着して、第一ドア体１の開閉方向の位置ズレを一層防止することができて、自動施錠装置の施錠が一層確実になるように構成されている。
また、図６（Ｂ）に示す第三の実施の形態は、沓摺７側に設けられる第二磁着体２０に磁着補助手段としての圧縮バネ２１が設けられ、上面が沓摺上片７ａの上面と略面一状になるように付勢されている。一方、第一磁着体２２は、下面が第一ドア体１の下端面と面一になる状態で埋設固定されており、第一ドア体１が閉鎖姿勢に近付くと、第一磁着体２２に吸引される状態で、第二磁着体２０が圧縮バネ２１の付勢力に抗して沓摺７の上片７ａに形成された開口７ｅから上方に突出し、第一磁着体２２に磁着して、第一ドア体１の閉鎖姿勢を保持するように構成されている。
さらに、図６（Ｃ）に示す第四の実施の形態は、前記第三の実施の形態と同様に構成されるが、第一、第二磁着体２３、２４の当接部（磁着部）に、それぞれ開閉方向の移動規制をするための係合凹部２３ａと係合凸部２４ａとが形成されている。これによって、第一ドア体１の揺動規制が一層確実になって、閉鎖姿勢の第一ドア体１の位置ズレを一層防止することができる。
尚、第三、第四の実施の形態は、何れも沓摺上片７ａに形成された開口７ｅを介して第二磁着体２０、２４を臨むことができるが、何れのものも、第一ドア体１が開放している状態では、第二磁着体２０、２４の上面が沓摺上片７ａ上面よりも上位に突出することはなく、第二磁着体２０、２４が通行を妨げるようなことはない。
そして、前記第二、第三、第四の実施の形態のものは、何れのものも閉鎖姿勢の第一ドア体１の戸先側下方部位における位置ズレが防止されるものでありながら、第一ドア体１の意匠を何ら変えることがないうえ、開閉作動を邪魔するようなことがない。
また、本実施の形態では、第一磁着体に磁着補助手段が設けられており、第一ドア体が閉鎖姿勢になることに伴い第一、第二磁着体同士の磁着力を高めるようにしているが、磁着補助手段は必ずしも必要はなく、第一、第二磁着体の磁着力を大きくする等の手段を実施することで磁着補助手段を設けない構成とすることができる。
【図面の簡単な説明】
【００２７】
【図１】図１（Ａ）、（Ｂ）はそれぞれドア装置の概略正面図、ドア装置の横断面図である。
【図２】図２（Ａ）、（Ｂ）はそれぞれ図１（Ａ）のＸ−Ｘ断面図、要部の縦断面図である。
【図３】図３（Ａ）、（Ｂ）はそれぞれ自動施錠装置を説明する第一ドア体の断面図、第二ドア体の断面図である。
【図４】図４（Ａ）、（Ｂ）はそれぞれ磁着補助手段を説明する断面図、図４（Ａ）のＸ−Ｘ断面図である。
【図５】図５（Ａ）、（Ｂ）はそれぞれ磁着補助手段を説明する断面図、図５（Ａ）のＸ−Ｘ断面図である。
【図６】図６（Ａ）、（Ｂ）、（Ｃ）はそれぞれ第二、第三、第四の実施の形態の要部を説明する断面図である。
【符号の説明】
【００２８】
１    第一ドア体
１ｅ    下片部
５    縦枠体
５ａ    枠片
７    沓摺
７ｃ    ロック体受け孔
８    自動施錠装置
８ａ    ロック体
１０    第一磁着体
１１    磁着補助手段
１２    ケース体
１３    作動ロッド
１４    板バネ
１４ｂ    連結体
１５    磁着体支持片
１５ａ    嵌合凹部
１６    第二磁着体
【図１】
2008223405.tif 000003
【図２】
2008223405.tif 000004
【図３】
2008223405.tif 000005
【図４】
2008223405.tif 000006
【図５】
2008223405.tif 000007
【図６】
2008223405.tif 000008